(57)【要約】【課題】    盛土堤体の側面に受撃版を現場で構築するのに最適な受撃版構築用治具および受撃版構築用壁面材と、現場における受撃版の施工性を改善できる防護用堤体の構築方法を提供すること。【解決手段】    端板１１と、端板１１に立設したロッド１２を具備する受撃版構築用治具１０を使用し、盛土堤体の一側面に固定して取り付けた受撃版構築用治具１０のロッド１２を利用して鉄筋を組み立て、受撃版構築用治具のロッドにセパレータを取り付けて型枠を組み立てて、盛土堤体の一側面にコンクリート製の受撃版を構築する。【選択図】      図１
2005163330.tif 000002
【特許請求の範囲】
【請求項１】
盛土堤体の一側面にコンクリート製の受撃版を一体に構築するための受撃版構築用治具であって、
盛土堤体の表面の壁面材に当接可能な端板と、
前記端板に立設し、鉄筋とセパレータを固定可能なロッドとにより構成することを特徴とする、
受撃版構築用治具。
【請求項２】
請求項１において、ロッドの自由端に屈曲部を形成し、前記屈曲部を壁面材の開口を貫通可能に形成したことを特徴とする、受撃版構築用治具。
【請求項３】
盛土堤体の一側面にコンクリート製の受撃版を一体に構築するための壁面材であって、
水平部と起立部を有し、
前記起立部に、請求項１または請求項２に記載の受撃版構築用治具の端板を取り付けて立設したことを特徴とする、
受撃版構築用壁面材。
【請求項４】
盛土堤体の一側面にコンクリート製の受撃版を一体に構築するための壁面材であって、
水平部と起立部を有し、
鉄筋とセパレータを固定可能なロッドとによりなる受撃版構築用治具を、前記水平部に取り付けて立設したことを特徴とする、
受撃版構築用壁面材。
【請求項５】
盛土堤体と、該盛土堤体の一側面にコンクリートを打設して一体に構築したコンクリート製の受撃版とよりなる防護用堤体の構築方法であって、
盛土堤体の一側面に、前記請求項１または請求項２に記載の受撃版構築用治具を固定して取り付け、
盛土堤体の一側面から突出した受撃版構築用治具のロッドを利用して鉄筋を組み立て、
前記受撃版構築用治具のロッドにセパレータを取り付けて型枠を組み立てることを特徴とする、
防護用堤体の構築方法。
【発明の詳細な説明】
【技術分野】
【０００１】
本発明は崩落土砂、雪崩或いは落石等の発生現場に設置し、これらの崩落物から防護する、受撃版構築用治具および受撃版構築用壁面材および防護用堤体の構築方法に関する。
【背景技術】
【０００２】
出願人は重力式のコンクリート擁壁に代わる防護構造体として、特許文献１に記載の防護用堤体を先に提案した。
この防護用堤体は図６に示すように断面台形を呈する盛土堤体４０と、盛土堤体４０の受撃側の側面に形成した一枚ものの連続したコンクリート製の受撃版５０で構成される。
盛土堤体４０のみで衝撃を受ける場合と比べて、この防護用堤体は、受撃版５０に作用した衝撃を分散して背後の盛土堤体４０へ伝え、盛土堤体４０の全体で衝撃を分散吸収し得るから、大規模な衝撃の発生現場に好適である。
【特許文献１】特開２００３−１２９４２２号公報
【発明の開示】
【発明が解決しようとする課題】
【０００３】
受撃版５０は盛土堤体４０との一体性を考慮すれば現場でコンクリートを打設
して構築することが望ましい。
しかしながら、盛土堤体４０の側面には鉄筋を支える支持部材や、型枠間隔を保持するセパレータを支持する部材や、コンクリート打設圧を支持する好適な部材がなかった。
公知の鉄筋の支持手段や、公知の型枠支持手段を適用しても、複数種類の支持手段を設置しなければならず、配筋作業と型枠の組立作業に多くの手数がかかる問題がある。
【０００４】
本発明は以上の点に鑑みてなされたもので、その目的とするところは盛土堤体の側面に受撃版を現場で構築するのに最適な受撃版構築用治具または受撃版構築用壁面材を提供することにある。
本発明の他の目的は現場における受撃版の施工性を改善できる防護用堤体の構築方法を提供することにある。
【課題を解決するための手段】
【０００５】
本発明は、盛土堤体の一側面にコンクリート製の受撃版を一体に構築するための受撃版構築用治具であって、盛土堤体の表面の壁面材に当接可能な端板と、前記端板に立設し、鉄筋とセパレータを固定可能なロッドとにより構成することを特徴とするものである。
本発明は前記した受撃版構築用治具において、ロッドの自由端に屈曲部を形成し、前記屈曲部を壁面材の開口を貫通可能に形成したことを特徴とするものである。
本発明は、土堤体の盛一側面にコンクリート製の受撃版を一体に構築するための壁面材であって、水平部と起立部を有し、前記起立部に、請求項１または請求項２に記載の受撃版構築用治具の端板を取り付けて立設したことを特徴とするものである。
本発明は、盛土堤体の一側面にコンクリート製の受撃版を一体に構築するための壁面材であって、水平部と起立部を有し、鉄筋とセパレータを固定可能なロッドとによりなる受撃版構築用治具を、前記水平部に取り付けて立設したことを特徴とするものである。
本発明は盛土堤体と、該盛土堤体の一側面にコンクリートを打設して一体に構築したコンクリート製の受撃版とよりなる防護用堤体の構築方法であって、盛土堤体の一側面に、前記請求項１または請求項２に記載の受撃版構築用治具を固定して取り付け、盛土堤体の一側面から突出した受撃版構築用治具のロッドを利用して鉄筋を組み立て、前記受撃版構築用治具のロッドにセパレータを取り付けて型枠を組み立てることを特徴とするものである。
本発明は前記した防護用堤体の構築方法において、盛土堤体の築堤中に、或いは盛土堤体の構築後に、盛土堤体の一側面の表面を覆う壁面材にロッドを貫通させて、或いは壁面材の表面に受撃版構築用治具を取り付けることを特徴とするものである。
【発明の効果】
【０００６】
本発明はつぎのいずれかひとつの効果を奏する。
（１）受撃版構築用治具は端板にロッドを立設した簡単な形状でありながら、盛土堤体の一側面に簡単に取り付けできるので、この受撃版構築用治具を利用して鉄筋の組み立て作業とセパレータを連結した型枠の組立作業を短時間で円滑に行うことができる。
したがって、現場における受撃版の施工性を大幅に改善することができる。
（２）壁面材の起立部に立設した受撃版構築用治具は鉄筋の支持部材として機能するだけでなく、セパレータを連結して型枠の支持部材も兼用するものであり、ひとつの治具でふたつの支持部材を兼用することができる。
【発明を実施するための最良の形態】
【０００７】
以下図面を参照しながら本発明の一実施の形態について説明する。
（１）受撃版構築用治具
図１に受撃版構築用治具１０の一例を示す。
図中符号２０はエキスパンドメタルや溶接金網を略Ｌ字形に屈曲して形成した公知の壁面材で、水平部２１と起立部２２を有し、これらの両部２１，２２の間をフック付きの斜材２３で連結している。斜材２３は必須ではなく省略する場合がある。
受撃版構築用治具１０の取付対象である壁面材１０は、図示したL字形のものに限定されず、一枚ものの帯状の網体や公知のものを含むものである。
【０００８】
受撃版構築用治具１０は壁面材２０の起立部２２に取り付けて、配筋作業や型枠作業の支承部材として機能するための治具で、端板１１と、端板１１に立設した棒状のロッド１２とよりなる。
【０００９】
端板１１は壁面材２０の起立部２２に当接して取り付けできるように起立部２２の開口２４より大きいプレートからなり、その平面形状は図示した矩形に限定されず、また形状も特に問わない。端板１１の周縁には複数の取付穴１３を形成していて、例えばインシュロック等の結束バンドやボルトを用いて、或いは溶接して起立部２２の裏面または表面の何れかの面に固定する。
【００１０】
ロッド１２は図３に示す鉄筋５１を組み立てる際の支持部材として機能することに加え、図４に示す型枠６０を組み立てる際セパレータ５２の取付け部材として機能する、例えば鋼棒などの棒材で、その長さはコンクリート製の受撃版の躯体厚に応じた適宜の長さを有する。
ロッド１２の自由端（先端）はＵ字形の屈曲部１４を形成している。屈曲部１４は鉄筋の位置決めをし易くするのに役立つ。
また受撃版構築用治具１０のロッド１２を壁面材２０の起立部２２に貫通させて設置する場合、ロッド１２の屈曲部１４の曲げ幅は、壁面材２０の起立部２２の開口２４の寸法に対して相対的に小さく形成しておく。
ロッド１２を壁面材２０の起立部２２に貫通させずに、端板１１を壁面材２０の起立部２２の表面に当接させて受撃版構築用治具１０を取り付ける場合は、屈曲部１４の曲げ幅に寸法的な制限は特にない。
尚、ロッド１２は屈曲部１４を形成せずに、直線状のままであってもよい。
【００１１】
（２）防護用堤体の構築方法
図２に断面略台形を呈する盛土堤体４０と、盛土堤体４０の一側面に一体に形成した受撃版５０とからなる防護用堤体３０の横断面図を示す。
【００１２】
所定の距離を隔てて設置した一対の壁面材２０，２０の間に公知のジオテキスタイル、ジオグリッド等からなる補強シート４１を敷設し、補強シート４１の両端を壁面材２０に連結する工程と、相対向する一対の壁面材２０，２０間に所定の高さに盛土４２して転圧する工程とを繰り返し行い、所定の高さまの防護用堤体３０を構築する方法は、従来と同様である。
【００１３】
尚、盛土堤体４０の受撃版５０と対向する一側面を覆う壁面材２０に植生種子を付着した植生シートを築堤中に取り付けたり、或いは壁面材２０に植生基盤材を吹き付けて植生すると景観性がよくなる。
【００１４】
（３）受撃版の構築方法
［受撃版構築用治具の取付け］
本発明ではコンクリート製の受撃版５０を構築するにあたり、盛土堤体４０の受撃面となる一側面の壁面材２０に前記した受撃版構築用治具１０を取り付ける。
受撃版構築用治具１０の取り付け作業は、盛土堤体４０の築堤途中で、図１に示すように壁面材２０の起立部２２の内側からロッド１２を貫通させて配置し、その端板１１を起立部２２に当接させた状態で、結束バンドやボルト等を使って、或いは溶接して固定するだけの簡単な作業である。
受撃版構築用治具１０の設置間隔は鉄筋重量や型枠重量を考慮し、これらを支持可能な間隔に設定する。
【００１５】
受撃版構築用治具１０を壁面材２０の起立部２２の表面側に取り付ける場合は、盛土堤体４０の完成後に後付けしてもよい。
また受撃版構築用治具１０は、予め壁面材２０の起立部２２に取り付けたものを現場に搬入して使用する場合もある。
要は盛土堤体４０の受撃面となる一側面に、所定のピッチで受撃版構築用治具１０が突設してあればよい。
【００１６】
［鉄筋工］
図３は受撃版構築用治具１０を取り付けた壁面材２０の部分拡大図を示す。
本発明では、壁面材２０の起立部２２から突出した受撃版構築用治具１０のロッド１２を利用して盛土堤体４０の一側面に補強用の鉄筋５１を縦横方向に向けて組み立てる。
本例の場合は、ロッド１２に対し横方向に配筋した鉄筋５１を取り付けた場合を示すが、縦方向に配筋した鉄筋５１を取り付けてもよい。また鉄筋５１の固定手段としては、結束線を用いた結束、或いは溶接などの公知の手段による。
鉄筋５１の重量は受撃版構築用治具１０を通じて盛土堤体４０に支持させる。
受撃版構築用治具１０に作用する重量は、受撃版構築用治具１０の基板１１を固定した壁面材２０の起立部２２に分散して支持されると共に、背面の盛土４４によっても支持される。
【００１７】
［型枠工］
配筋作業が完了したら、図４に示すように受撃版構築用治具１０のロッド１２の延長方向に向けてセパレータ５２を溶接し、これらの受撃版構築用治具１０とセパレータ５２を利用して鉄筋５１の外方に型枠６０を組み立てる。
型枠６０の重量は、セパレータ５２と受撃版構築用治具１０を通じて盛土堤体４０に支持させる。
【００１８】
［コンクリートの打設工］
盛土堤体４０の一側面に所定の距離を隔てて型枠６０を組み立てたら、その型枠空間内にコンクリートを打設する。型枠６０に作用するコンクリートの打設圧は、セパレータ５２と受撃版構築用治具１０を通じて盛土堤体４０に支持される。
所定の養生期間が経過したら、型枠を脱型して図２に示すような盛土堤体４０と一体の受撃版５０を得る。
受撃版構築用治具１０は受撃版５０に埋設し、補強筋として機能するだけでなく、盛土堤体４０と受撃版５０の一体性を高めるジベル筋としても機能する。
【００１９】
（４）その他の形態
前記した形態は受撃方向と平行に補強シート４１を揃えて敷設して盛土堤体４０を構築する場合を示したが、平面から見て井桁状を呈するように、受撃方向と平行な補強シート４１と交差する方向に揃えて補強シート４１を追加して敷設してもよい。
このように補強シート４１を２方向に交差させて敷設することで、盛土堤体４０の向きの異なる面を同時に補強できると共に、盛土内部の円弧滑りやせん断に対して耐力が向上する利点がある。
また受撃版５０は、盛土堤体４０の一側面の上半部分のように部分的に形成してもよい。
【００２０】
また壁面材２０の起立部２２に受撃版構築用治具１０の端板１１を取り付け、受撃版構築用治具１０を一体化したものを受撃版構築用壁面材として構成しても良い。
受撃版構築用壁面材は受撃版構築用治具１０を予め壁面材２０に取り付けておいてもよいが、現場で一体に組立ててもよい。
またひとつの壁面材２０に対する受撃版構築用治具１０の設置数は適宜選択するものとする。
【００２１】
また図５に示すように、ロッド１２のみで構成する受撃版構築用治具１０の一端を、壁面材２０の水平部２１に溶接、結束等の公知の固着手段で一体に取り付けて受撃版構築用壁面材を構成してもよい。
壁面材２０の水平部２１に固定した受撃版構築用治具１０は、既述したように鉄筋５１およびセパレータ５２を介した型枠６０の支持部材として機能することに加えて、補強部材として機能するので、壁面材２０全体の力の伝達性が向上して盛土の支持力が増すといった利点がある。さらに端板を省略できることに伴い、軽量化と製造コストの低減も図ることができる。
【図面の簡単な説明】
【００２２】
【図１】受撃版構築用治具と壁面材の斜視図
【図２】完成した防護用堤体の横断面図
【図３】受撃版構築用治具を使用した鉄筋工を説明するための盛土堤体の部分横断面図
【図４】受撃版構築用治具を使用した型枠工を説明するための盛土堤体の部分横断面図
【図５】他の受撃版構築用治具を用いて構成する受撃版構築用壁面材を説明するための盛土堤体の部分横断面図
【図６】本発明が前提とする防護用堤体の説明図
【符号の説明】
【００２３】
１０    受撃版構築用治具
１１    端板
１２    ロッド
１４    屈曲部
２０    壁面材（受撃版構築用壁面材）
２１    壁面材の水平部
２２    壁面材の起立部
２３    斜材
２４    開口
３０    防護用堤体
４０    盛土堤体
４１    補強シート
４２    盛土
５０    受撃版
５１    鉄筋
５２    セパレータ
６０    型枠
【図１】
2005163330.tif 000003
【図２】
2005163330.tif 000004
【図３】
2005163330.tif 000005
【図４】
2005163330.tif 000006
【図５】
2005163330.tif 000007
【図６】
2005163330.tif 000008